(57)【要約】【課題】ケース部材と連結部材を結合／分離する際の作業性が良く、組み付け性を向上させることができる携帯端末装置を提供することである。【解決手段】一端に軸受け部を有する表示器側筐体と、一端が軸受け部に装着される回転部を有し、他端部に結合部を有するダミーヒンジと、一端が結合部に結合されるキー側筐体とを備え、両筐体がダミーヒンジを介して回動可能に連結される携帯端末装置において、キー側筐体１２は、回転部１９の回転軸と垂直な方向に延びて形成されるボス部２１を有し、結合部２０は、ボス部２１が挿通される挿通孔２２が形成され、挿通孔２２は、結合部２０とキー側筐体１２とが結合された状態においてボス部２１が嵌合される嵌合孔２４ａと、嵌合孔２４ａに連通すると共にキー側筐体１２側に向かって回転部１９の回転方向に沿って拡径された拡径孔２４ｂとを有して形成される。【選択図】図３
2008180329.tif 000002
【特許請求の範囲】
【請求項１】
一端に軸受け部を有する第１筐体と、
一端が前記軸受け部に装着される回転部を有し、他端部に結合部を有する連結部材と、
一端が前記結合部に結合される第２筐体と、を備え、
前記第１筐体と前記第２筐体とが前記連結部材を介して回動可能に連結される携帯端末装置において、
前記第２筐体は、前記回転部の回転軸と垂直な方向に延びて形成されるボス部を有し、
前記結合部は、前記ボス部が挿通される挿通孔が形成され、
前記挿通孔は、前記結合部と前記第２筐体とが結合された状態において前記ボス部が嵌合される嵌合孔と、前記嵌合孔に連通すると共に前記第２筐体側に向かって前記回転部の回転方向に沿って拡径された拡径孔とを有して形成される
ことを特徴とする携帯端末装置。
【請求項２】
前記結合部は、前記ボス部が前記嵌合孔に嵌合された状態のときに、前記第２筐体に係合する係合部を有する
ことを特徴とする請求項１に記載の携帯端末装置。
【請求項３】
前記第２筐体は、前記ボス部が形成される第１ケース部材と、前記連結部材を間に挟んで前記第１ケース部材に結合される第２ケース部材とを有して構成され、
前記連結部材は、前記回転部が位置する側に形成されて、前記第１ケース部材の一端側に係合して当該一端側の前記回動部からの離間を規制する規制部を有する
ことを特徴とする請求項１または２に記載の携帯端末装置。
【請求項４】
前記第２筐体は、前記ボス部が形成される第１ケース部材と、前記連結部材を間に挟んで前記第１ケース部材に結合される第２ケース部材とを有し、前記ボス部に螺合されるネジ部材により前記第１ケース部材と前記第２ケース部材とが結合されて構成され、
前記連結部材は、前記ネジ部材の前記ボス部への螺合により前記第１ケース部材に結合される
ことを特徴とする請求項１または２に記載の携帯端末装置。
【請求項５】
前記回動部は、前記第１筐体の内部と前記第２筐体の内部との間に亘って配設されるケーブル部材が挿通され、
前記連結部材は、前記ケーブル部材を位置決めする位置決め部が形成されている
ことを特徴とする請求項１から４のいずれか一項に記載の携帯端末装置。
【発明の詳細な説明】
【技術分野】
【０００１】
この発明は、２つの筐体が連結部材を介して回動可能に連結される携帯端末装置に関する。
【背景技術】
【０００２】
従来、表示器側筐体とキー側筐体の２つの筐体を、両筐体が相互に接近離反可能にヒンジユニット（連結機構）で連結した折り畳み型の携帯端末装置が知られている。ヒンジユニットで連結された２つの筐体は、両筐体が略直線上に連続する開状態或いは両筐体が上下に重なった閉状態に、自在に開閉することができる。このような携帯端末装置として、例えば、「携帯電子機器」（特許文献１参照）がある。
この折り畳み型の携帯端末装置において、２つの筐体を連結するヒンジユニットは、略直線状に横並びに配置された開閉用ヒンジとダミーヒンジ（連結部材）を有しており、ダミーヒンジは、両筐体にそれぞれ配置された基板を電気的に接続するための細線同軸ケーブルを通すため管状に形成されている。
【０００３】
このダミーヒンジは、キーフロントケースと共にキー側筐体を構成するキーリアケースに、ネジ部材によって結合されており、この結合構造として、ケース部材にネジボスが形成され、連結部材にネジボスが挿通される孔が形成されている。
【特許文献１】特開２００６−０６７５２５号公報
【発明の開示】
【発明が解決しようとする課題】
【０００４】
しかしながら、従来の折り畳み型の携帯端末装置における結合構造では、ネジボスが挿通される孔が直線的に形成されているため、ケース部材と連結部材を直線的に移動させて結合させなければならなかった。従って、ケース部材と連結部材を結合／分離する際の作業性が悪化してしまうのが避けられなかった。
この発明の目的は、ケース部材と連結部材を結合／分離する際の作業性が良く、組み付け性を向上させることができる携帯端末装置を提供することである。
【課題を解決するための手段】
【０００５】
上記目的を達成するため、この発明に係る携帯端末装置は、一端に軸受け部を有する第１筐体と、一端が前記軸受け部に装着される回転部を有し、他端部に結合部を有する連結部材と、一端が前記結合部に結合される第２筐体と、を備え、前記第１筐体と前記第２筐体とが前記連結部材を介して回動可能に連結される携帯端末装置において、前記第２筐体は、前記回転部の回転軸と垂直な方向に延びて形成されるボス部を有し、前記結合部は、前記ボス部が挿通される挿通孔が形成され、前記挿通孔は、前記結合部と前記第２筐体とが結合された状態において前記ボス部が嵌合される嵌合孔と、前記嵌合孔に連通すると共に前記第２筐体側に向かって前記回転部の回転方向に沿って拡径された拡径孔とを有して形成されることを特徴としている。
【０００６】
また、この発明は、前記結合部は、前記ボス部が前記嵌合孔に嵌合された状態のときに、前記第２筐体に係合する係合部を有することが好ましい。
また、この発明は、前記第２筐体は、前記ボス部が形成される第１ケース部材と、前記連結部材を間に挟んで前記第１ケース部材に結合される第２ケース部材とを有して構成され、前記連結部材は、前記回転部が位置する側に形成されて、前記第１ケース部材の一端側に係合して当該一端側の前記回動部からの離間を規制する規制部を有することが好ましい。
【０００７】
また、この発明は、前記第２筐体は、前記ボス部が形成される第１ケース部材と、前記連結部材を間に挟んで前記第１ケース部材に結合される第２ケース部材とを有し、前記ボス部に螺合されるネジ部材により前記第１ケース部材と前記第２ケース部材とが結合されて構成され、前記連結部材は、前記ネジ部材の前記ボス部への螺合により前記第１ケース部材に結合されることが好ましい。
また、この発明は、前記回動部は、前記第１筐体の内部と前記第２筐体の内部との間に亘って配設されるケーブル部材が挿通され、前記連結部材は、前記ケーブル部材を位置決めする位置決め部が形成されていることが好ましい。
【発明の効果】
【０００８】
この発明によれば、ケース部材と連結部材を結合／分離する際の作業性が良いので、組み付け性を向上させることができる。
【発明を実施するための最良の形態】
【０００９】
以下、この発明を実施するための最良の形態について図面を参照して説明する。
図１は、この発明の一実施の形態に係る携帯端末装置の一例としての携帯電話機の開状態における斜視図である。図１に示すように、携帯端末装置の一例としての携帯電話機１０は、例えば、表示器側筐体（第１筐体）１１とキー側筐体（第２筐体）１２の２つの筐体を、両筐体１１，１２が相互に接近離反可能にヒンジ部１３で連結した折り畳み型構造を有している。
ヒンジ部１３は、表示器側筐体１１の一端部側に突設されており、キー側筐体１２の一端部に形成された一対のヒンジ取付部１２ａ，１２ａに、回動自在に軸支されている。このヒンジ部１３で連結された表示器側筐体１１とキー側筐体１２は、両筐体が略直線上に連続する開状態或いは両筐体が上下に重なった閉状態（図示しない）に、自在に開閉することができる。
【００１０】
表示器側筐体１１には、一方の面側にメイン液晶表示器（Ｌｉｑｕｉｄ  Ｃｒｙｓｔａｌ  Ｄｉｓｐｌａｙ：ＬＣＤ）１４が、キー側筐体１２の一方の面には、押下操作可能な複数の操作キーを配置した操作部１５が、それぞれ設けられている。キー側筐体１２は、外面がキーフロントケース１２ｂとキーリアケース１２ｃとにより構成され、キーフロントケース１２ｂ側に操作部１５が露出するように配設されている。
図２は、図１のキー側筐体を構成するキーフロントケースの部分斜視図である。図２に示すように、表示器側筐体１１とキー側筐体１２が連結された状態において、表示器側筐体１１の一部を構成するヒンジ部１３の軸受け部１３ａは、ヒンジ部１３の外装ケースを構成するヒンジフロントケース１６のヒンジ配置部１６ａに、横倒し円筒形状部の内部空間として形成されており、キー側筐体１２のキーフロントケース（第１ケース部材）１２ｂの内面側に開口している。
【００１１】
この軸受け部１３ａの筐体幅方向一方側（図２における左側）には、２つの筐体を開状態又は閉状態に保持するとともに開閉動作時に節度間を与えるヒンジユニット（連結機構）を構成するヒンジ部材（図示しない）が装着されるとともに、筐体幅方向他方側（図２における右側）にはダミーヒンジ（連結部材）１８が装着される。ダミーヒンジ１８は、ヒンジ部材と対で設けられており、表示器側筐体１１とキー側筐体１２のそれぞれに内蔵された回路基板を電気的に接続するための、後述するケーブル部材（例えば、細線同軸ケーブル）を通す孔を有している。
つまり、携帯端末装置の一例としての携帯電話機１０は、一端に軸受け部１３ａを有する表示器側筐体１１と、ヒンジ部材と、一端が軸受け部１３ａに装着される回転部１９を有し、他端部に結合部２０を有するダミーヒンジ１８と、一端が結合部２０に結合されるキー側筐体１２とを備えており、表示器側筐体１１とキー側筐体１２とがヒンジ部材及びダミーヒンジ１８を介して回動可能に連結されている。
【００１２】
金属製のダミーヒンジ１８は、結合部２０と、結合部２０に回転自在に装着された回転部１９とを有している。結合部２０には、キーフロントケース１２ｂのヒンジ取付部１２ａに対応して内面に一体形成されたボス部２１が挿通される挿通孔２２が開けられ、回転部１９は、ケーブル部材を通す孔を有する円筒状に形成されている。ボス部２１は、軸受け部１３ａの側方に位置し、回転部１９の回転軸と略垂直な方向に延びて、キーフロントケース１２ｂの内面に突設されている。
このダミーヒンジ１８は、回転部１９を、滑らかな回転を保持するために、摺動性を有する、例えば樹脂からなる円環状のカラー２３を介して、軸受け部１３ａの開口に挿入結合し、この状態で、結合部２０の挿通孔２２にボス部２１を挿通させ、位置決め固定される。
【００１３】
このように、キー側筐体１２は、ボス部２１が形成されるキーフロントケース１２ｂと、ダミーヒンジ１８を間に挟んでキーフロントケース１２ｂに結合される、後述するキーリアケース１２ｃ（第２ケース部材、図８参照）とを有しており、ボス部２１に螺合されるネジ部材（図示しない）により、キーフロントケース１２ｂとキーリアケース１２ｃとが結合されて構成されている。
このため、キーフロントケース１２ｂとキーリアケースとを結合するためのボス部２１を用いてダミーヒンジ１８の位置決めを行うことができ、簡素（コンパクト）に構成することができる。また、ネジ部材を用いた螺合結合によりダミーヒンジ１８をキーフロントケース１２ｂに結合することができ、筐体強度を向上させることができる。
【００１４】
図３は、図２のダミーヒンジとダミーヒンジに装着されるカラーの斜視図である。図４は、図３のダミーヒンジを示し、（ａ）は図３とは別の方向から見た斜視図、（ｂ）は（ａ）とは別の方向から見た斜視図、（ｃ）は（ｂ）とは別の方向から見た斜視図である。
図３に示すように、カラー２３は、ダミーヒンジ１８の回転部１９を挿入させた状態で、回転部１９の外周面側に密着固定される。
図３及び図４に示すように、ダミーヒンジ１８の結合部２０に開けられた挿通孔２２は、結合部２０とキーフロントケース１２ｂ、即ち、キー側筐体１２とが結合された状態においてボス部２１が挿入嵌合される嵌合孔２４ａと、嵌合孔２４ａに連通すると共にキー側筐体１２側に向かって回転部１９の回転方向に沿って拡径された拡径孔２４ｂと、を有して形成されている。
【００１５】
つまり、拡径孔２４ｂは、ボス部２１の外径よりも十分拡径された、ボス部２１の挿入入り口となる底面側開口２４ｃから、回転部１９の外周面に沿って徐々に縮径されて、ボス部２１が嵌合状態となる内径の嵌合孔２４ａに連通する。なお、拡径孔２４ｂは、回動部２０の回転嵌合時に、拡径孔２４ｂに入り込んだボス部２１が引っかかったりして拡径孔２４ｂがボス部２１と干渉することがないように、ボス部逃げ形状を有している。
図５は、ダミーヒンジの装着方法を示し、（ａ）は装着開始状態の斜視図、（ｂ）はダミーヒンジ回転状態の斜視図、（ｃ）は装着終了状態の斜視図である。図６は、図５とは別の方向からダミーヒンジの装着方法を示し、（ａ）は装着開始状態の断面説明図、（ｂ）はダミーヒンジ回転状態の断面説明図、（ｃ）は装着終了状態の断面説明図である。
【００１６】
図５及び図６に示すように、ダミーヒンジ１８を装着する場合、先ず、カラー２３を装着した回転部１９をヒンジ部１３の軸受け部１３ａに挿入したダミーヒンジ１８を、キーフロントケース１２ｂのボス部２１が拡径孔２４ｂに位置するように結合部２０を立てた状態で、ボス部２１側方に配置する（図５（ａ），図６（ａ）参照）。
次に、結合部２０を立てた状態から、ボス部２１が拡径孔２４ｂに入り込むように、結合部２０を下方に向かって回転させる。このとき、結合部２０は、回転軸受け部１３ａに挿入した回転部１９を回転軸として滑らかに回転し、同時に、ボス部２１が拡径孔２４ｂ内に入り込む（図５（ｂ），図６（ｂ）参照）。
【００１７】
次に、結合部２０を下方に向かって更に回転させ、結合部２０の底面２０ａをキーフロントケース１２ｂの内面に接触させる。このとき、拡径孔２４ｂ内に入り込んだボス部２１は、拡径孔２４ｂから嵌合孔２４ａへと導かれ、結合部２０の底面がキーフロントケース１２ｂの内面に接触すると同時に、先端部を嵌合孔２４ａの上端から突出させて嵌合孔２４ａに嵌合状態に装着される（図５（ｃ），図６（ｃ）参照）。
このように、キー側筐体１２のボス部２１が挿通される挿通孔２２が、回転部１９の回転方向に沿って拡径するように形成されるので、回転部１９を軸受け部１３ａに挿通し、且つ、キー側筐体１２をヒンジ部１３（表示器側筐体１１）に組み付けた状態で、ダミーヒンジ１８を回転させながらキー側筐体１２に係合させることができ、ダミーヒンジ１８及びキー側筐体１２の組み付け性が向上することとなり、表示器側筐体１１とキー側筐体１２との組み付け性も向上する。
【００１８】
また、図３に示すように、ダミーヒンジ１８は、結合部２０に、キーフロントケース１２ｂと接触する底部の、回転部１９が位置する側に形成された、規制部２５を、また、結合部２０に、ボス部２１が嵌合孔２４ａに嵌合された状態のときに、キー側筐体１２（キーフロントケース１２ｂ）に係合する係合部２６を、それぞれ有している。この規制部２５と係合部２６は、結合部２０の底部に、底部を外側に広げたフランジ状に形成されている。
図７は、ダミーヒンジ１８の規制部２５を説明するキーフロントケース１２ｂの長手方向に沿う断面説明図である。図８は、ダミーヒンジ１８の規制部２５の働きを説明する断面説明図である。図７に示すように、ボス部２１が嵌合孔２４ａに嵌合されて、ダミーヒンジ１８が位置決め固定された状態で、規制部２５は、ダミーヒンジ１８におけるキー側筐体１２の長手方向一端側（図７、図８における右側）の底部に形成され、規制部２５に対応してキーフロントケース１２ｂの同一端側内面に形成された爪部２７（図５参照）に係合する。規制部２５が、爪部２７に下方から当接して係止する（図５（ｃ）参照）ことにより、両筐体１１，１２が開方向への荷重を受けたときの当該一端側の回動部２０からの離間が規制される。
【００１９】
即ち、図８に示すように、キー側筐体１２にＡ方向の過荷重が加えられると、キーフロントケース１２ｂのヒンジ側端部にはＢ方向の力が作用し、キーフロントケース１２ｂのヒンジ側端部はキーリアケース１２ｃから離間しようとする。しかしながら、回転軸１９を介して軸受け部１３ａに保持されているダミーヒンジ１８の規制部２５がキーフロントケース１２ｂと係合しているので、キーフロントケース１２ｂのヒンジ側端部がキーリアケース１２ｃから離間することがないので、離間による隙間の発生が抑えられる。
このように、キーフロントケース１２ｂとキーリアケース１２ｃの内の、一方のケースに回動方向の応力が作用した際に、一方のケースが回動部２０の回動軸から垂直な方向（他方のケースから離れる方向）への変位が規制されて、両ケース１２ｂ，１２ｃの間に隙間が発生することを抑制することができる。また、隙間の発生を抑制することができるので、両ケース１２ｂ，１２ｃの結合構造を簡素化することができ、小型化することができる。
【００２０】
図９は、ダミーヒンジ１８の係合部を説明するキーフロントケース１２ｂの幅方向に沿う断面説明図である。図９に示すように、回転部１９を軸受け部１３ａに装着した状態で回転させて、ボス部２１が挿通孔２２の嵌合孔２４ａに嵌合されると、結合部２０におけるキー側筐体１２の幅方向一端側（図９における左側）の底部に形成された係合部２６がキーフロントケース１２ｂの側面に形成された突起爪１２ｄ、即ち、キー側筐体１２に係合される。このため、ダミーヒンジ１８の回動が規制されて、ダミーヒンジ１８を介した表示器側筐体１１とキー側筐体１２とを容易に連結することができる。
【００２１】
図１０は、回転部１９に挿通されるケーブル部材のダミーヒンジ１８における位置決め状態を示す斜視説明図である。図１０に示すように、回転部１９には、表示器側筐体１１の内部とキー側筐体１２の内部との間に亘って配設されるケーブル部材（例えば、細線同軸ケーブル）２９が挿通されるが、このケーブル部材２９は、ダミーヒンジ１８の結合部２０に沿って配置される。結合部２０の上端には、ケーブル部材２９を上から覆う庇状の位置決め部３０が形成されており、この位置決め部３０により、ケーブル部材２９の浮きを防止しつつケーブル部材２９を結合部２０の外周面に沿わせて案内し、回転部１９へと導くことができる。よって、ケーブル部材２９の配線に際して作業性の改善を図ることができる。
なお、この発明は、上述した実施の形態により説明したが、この実施の形態に限定されるものではない。従って、本発明の趣旨を逸脱することなく変更態様として実施するものも含むものである。例えば、携帯電話機に限定されることなく、２つの筐体が連結部材を介して回動可能に連結される他の携帯端末装置にも適用することができる。
【図面の簡単な説明】
【００２２】
【図１】この発明の一実施の形態に係る携帯電話機の開状態における斜視図である。
【図２】図１のキー側筐体を構成するキーフロントケースの部分斜視図である。
【図３】図２のダミーヒンジとダミーヒンジに装着されるカラーの斜視図である。
【図４】図３のダミーヒンジを示し、（ａ）は図３とは別の方向から見た斜視図、（ｂ）は（ａ）とは別の方向から見た斜視図、（ｃ）は（ｂ）とは別の方向から見た斜視図である。
【図５】ダミーヒンジの装着方法を示し、（ａ）は装着開始状態の斜視図、（ｂ）はダミーヒンジ回転状態の斜視図、（ｃ）は装着終了状態の斜視図である。
【図６】図５とは別の方向からダミーヒンジの装着方法を示し、（ａ）は装着開始状態の断面説明図、（ｂ）はダミーヒンジ回転状態の断面説明図、（ｃ）は装着終了状態の断面説明図である。
【図７】ダミーヒンジの規制部を説明するキーフロントケースの長手方向に沿う断面説明図である。
【図８】ダミーヒンジの規制部の働きを説明する断面説明図である。
【図９】ダミーヒンジの係合部を説明するキーフロントケースの幅方向に沿う断面説明図である。
【図１０】回転部に挿通されるケーブル部材のダミーヒンジにおける位置決め状態を示す斜視説明図である。
【符号の説明】
【００２３】
１０  携帯電話機
１１  表示器側筐体
１２  キー側筐体
１２ａ  ヒンジ取付部
１２ｂ  キーフロントケース
１２ｃ  キーリアケース
１３  ヒンジ部
１３ａ  軸受け部
１４  メインＬＣＤ
１５  操作部
１６  ヒンジフロントケース
１６ａ  ヒンジ配置部
１８  ダミーヒンジ
１９  回転部
２０  結合部
２１  ボス部
２２  挿通孔
２３  カラー
２４ａ  嵌合孔
２４ｂ  拡径孔
２５  規制部
２６  係合部
２７  爪部
２９  ケーブル部材
３０  位置決め部
【図１】
2008180329.tif 000003
【図２】
2008180329.tif 000004
【図３】
2008180329.tif 000005
【図４】
2008180329.tif 000006
【図５】
2008180329.tif 000007
【図６】
2008180329.tif 000008
【図７】
2008180329.tif 000009
【図８】
2008180329.tif 000010
【図９】
2008180329.tif 000011
【図１０】
2008180329.tif 000012